(57)【特許請求の範囲】
【請求項１】
基礎上に床とともに設けられる外壁を内側の断熱壁と該断熱壁の外側に設けられる表面壁とを備えて構成し、該断熱壁と表面壁との間に通気層を形成し、該通気層の下端から該通気層に空気を導入するようにした木造住宅の通気構造において、
外気を取り入れる吸気口を有した吸気管と、該吸気管に連通するとともに地中に埋設されて吸気口からの外気と地中の熱との熱伝達を行なう埋設管と、該埋設管に連通し該埋設管からの空気を通気層に送風可能な送風管とを備えて構成し、
上記通気層の下端開口と床下内とを連通させる連通路を設け、上記吸気管を上記基礎を貫通して設け、上記埋設管を床下の地中に埋設し、上記送風管を上記連通路に連通させて床下に配設し、
上記送風管を、上記連通路に連通する連通孔を有した環状の外側送風管と、上記外側送風管の内側に設けられ複数の接続管によって該外側送風管に連通させられる環状の内側送風管とを備えて構成したことを特徴とする木造住宅の通気構造。
【請求項２】
上記吸気管，埋設管及び送風管からなる径路の途中に設けられ外気を吸引して上記通気層がわに送風する送風ファンを備えたことを特徴とする請求項１記載の木造住宅の通気構造。
【請求項３】
上記連通路を、上記基礎と該基礎上の土台との間に介装される通気性の支持部材を備えて構成したことを特徴とする請求項１または２記載の木造住宅の通気構造。
【発明の詳細な説明】
【０００１】
【発明の属する技術分野】
本発明は、外壁に設けた通気層に空気を導入するようにし室内の断熱性を向上させるようにした木造住宅の通気構造に関する。
【０００２】
【従来の技術】
従来、この種の木造住宅の通気構造としては、例えば、特開平４−２５４６３８号公報に掲載されたものが知られている。
この木造住宅の通気構造は、図４に示すように、基礎１上に床２とともに設けられる外壁３を内側の断熱壁４と該断熱壁４の外側に設けられる表面壁５とを備えて構成し、断熱壁４と表面壁５との間に通気層６を形成し、通気層６の下端開口６ａと床下内とを連通させる連通路７を設け、基礎１に開口度を調整可能なシャッタ８を備えた外気取入口９を貫通して設け、この外気取入口９から取り入れられた外気を床下を介して連通路７から通気層６に空気を導入するようにしている。
これにより、夏場においては外気が床下で冷やされ、この冷やされた空気が通気層６を流れるので温度の高い外気の熱が内側に直接伝達する事態が防止されるとともに、冬場においては外気が床下で暖められ、この暖められた空気が通気層６を流れるので室内側の熱が温度の低い外気に奪われにくくなり、外壁３の断熱性が良くなる。そのため、寒冷地の住宅では、外壁３内部での結露の発生も防止される。
【０００３】
【発明が解決しようとする課題】
ところで、上記の従来の木造住宅の通気構造にあっては、外気を床下においてある程度冷却しあるいは加温して通気層６に導入させるようにしてはいるが、床下の温度は、ある程度夏場は低く冬場は暖かいとはいえ、必ずしも充分とは言えず、より一層充分に冷却あるいは加暖して通気層６に供給したいという要請がある。
本発明は、このような問題点に鑑みてなされたもので、外気の冷却あるいは加暖の効率を向上させ、より一層温度を低く冷却できあるいはより一層温度を高く加暖できるようにして通気層に供給できるようにした木造住宅の通気構造を提供することを目的とする。
【０００４】
【課題を解決するための手段】
このような課題を解決するための本発明の技術的手段は、基礎上に床とともに設けられる外壁を内側の断熱壁と該断熱壁の外側に設けられる表面壁とを備えて構成し、該断熱壁と表面壁との間に通気層を形成し、該通気層の下端から該通気層に空気を導入するようにした木造住宅の通気構造において、外気を取り入れる吸気口を有した吸気管と、該吸気管に連通するとともに地中に埋設されて吸気口からの外気と地中の熱との熱伝達を行なう埋設管と、該埋設管に連通し該埋設管からの空気を通気層に送風可能な送風管とを備えて構成している。
これにより、夏場においては、外気が吸引口から吸引されて埋設管に入ると、この埋設管においては、地中の温度は外気より低いので、この外気温が冷却される。そして、外気温より低くなった状態で、通気層に流入する。そのため、外気温以上の温度が内部に伝達されることが防止される。
また、冬場においては、外気が吸引口から吸引されて埋設管に入ると、この埋設管においては、地中の温度は外気より高いので、この外気温が加暖される。そして、外気温より高くなった状態で、通気層に流入する。そのため、外気温によって表面壁が冷やされても、通気層を流れる空気は外気温より高いので、内部の温度が外部に逃げにくくなり熱損失が低減される。
従って、地中の未利用エネルギーを積極的に導入して一年中安定した断熱を図ることができるようになる。
【０００５】
そして、必要に応じ、上記吸気管，埋設管及び送風管からなる径路の途中に設けられ外気を吸引して上記通気層がわに送風する送風ファンを備えた構成としている。外気を積極的に地中に導いて強制的に冷却あるいは加暖するので、確実に通気層に外気との温度差のある空気を流すことができ、より一層安定した断熱が図られる。
そしてまた、上記通気層の下端開口と床下内とを連通させる連通路を設け、上記吸気管を上記基礎を貫通して設け、上記埋設管を床下の地中に埋設し、上記送風管を上記連通路に連通させて床下に配設した構成としている。建物の下の地中で冷却するので、建物の外部の日の当たる地中に比較して、建物がある分、地中の温度も低くあるいは高くなっており、そのため、冷却，加暖効率が向上させられる。更に、床下に配設された送風管においても床下の冷却あるいは加暖を行なうことができる。
【０００６】
また、上記送風管を、上記連通路に連通する連通孔を有した環状の外側送風管と、上記外側送風管の内側に設けられ複数の接続管によって該外側送風管に連通させられる環状の内側送風管とを備えて構成している。送風管が２系統の環状によって床下が冷却あるいは加暖されるので、より一層、建物の冷却，加暖効率が向上させられる。
更に、上記連通路を、上記基礎と該基礎上の土台との間に介装される通気性の支持部材を備えて構成している。
【０００７】
【発明の実施の形態】
以下、添付図面に基づいて本発明の実施の形態に係る木造住宅の通気構造を説明する。尚、上記と同様のものには同一の符号を付して説明する。
図１及び図２に示すように、実施の形態に係る木造住宅の通気構造は、枠状の基礎１上に床２とともに設けられる外壁３を、内側の断熱壁４と断熱壁４の外側に設けられる表面壁５とを備えて構成し、断熱壁４と表面壁５との間に通気層６を形成し、通気層６の下端開口６ａから通気層６に空気を導入するようにしている。通気層６の上部は、例えば、屋根裏に連通し屋根の近傍に設けた排気口（図示せず）から排気されていく。
１ａは基礎１上に設けられ床２を支持する土台である。断熱壁４は、室内側に設けられる内側断熱壁４Ａと、内側断熱壁４Ａの外側に付設される外側断熱壁４Ｂとを備えて２重に形成されている。
【０００８】
７は通気層６の下端開口６ａと床下内とを連通させる連通路である。この連通路７は、通気層６の下端開口６ａを袋状に覆う覆体７ａと、基礎１と基礎１上の土台１ａとの間に介装され外側が覆体７ａで覆われた通気層６の下端開口６ａに臨み内側が床下に臨む通気性の支持部材７ｂとを備えて構成されている。支持部材７ｂは、土台１ａを支持し得る強度を有するように、土台１ａに沿って通孔を列設した形状に形成されている。
１０は外気を取り入れる吸気口１１を有した吸気管であり、基礎１を貫通して設けられている。吸気口１１は雨水が入らないように下向きに設けられている。また、吸気管１０は建物の左右に一対設けられている。
１２は吸気管１０に連通するとともに地中に埋設されて吸気口１１からの外気と地中の熱との熱伝達を行なう埋設管である。埋設管１２は、Ｕ字状に形成され床下の地中に埋設されており、入口１３と出口１４を床下に位置させている。
【０００９】
２０は埋設管１２に連通し埋設管１２からの空気を通気層６に送風可能な送風管である。この送風管２０は連通路７に連通させられて床下に配設されている。詳しくは、送風管２０は、図２に示すように、環状の外側送風管２１と、外側送風管２１の内側に設けられ複数の接続管２２によって外側送風管２１に連通させられる環状の内側送風管２３とを備えて構成されている。外側送風管２１は、図３に示すように、軸方向に沿って列設された連通孔２４を有しており、連通路７を構成する支持部材７ｂの床下に露出する部分に沿って接合させられて設けられ、全体でこの支持部材７ｂの床下に露出する部分を塞ぐとともに、連通孔２４をこの床下に露出する部分に連通させている。そして、埋設管１２の入口１３は吸気管１０に接続され出口１４は内側送風管２３に接続されている。
２５は送風ファンであり、吸気管１０，埋設管１２及び送風管２０からなる径路の途中に設けられている。実施の形態では、吸気管１０に接続される埋設管１２の入口１３の前位に設けられている。
また、床下の地面は例えば防湿シート２７及びコンクリート２６で覆われている。
【００１０】
従って、この実施の形態に係る木造住宅の通気構造によれば、適時に送風ファン２５を作動させて吸気管１０から外気を吸引して通気層６がわに送風する。
夏場においては、外気温が例えば３０度を越えるような場合、この外気は吸気管１０の吸気口１から吸引されて埋設管１２に入る。この埋設管１２においては、吸気口１１からの外気と地中の熱との熱伝達が行なわれる。即ち、地中の温度は外気より低いので、この外気温が冷却される。そして、外気温より低くなった状態で、通気層６に流入する。そのため、外気温が表面壁５に伝達され更に通気層６を介して内部に伝達される際、通気層６を流れる空気は外気温より低いので、外気温以上の温度が内部に伝達されることがなくなる。この場合、通気層６を流れる空気は地中で冷却されるので、従来のように単に床下で冷却する場合に比較して、温度がより低くなり、そのため、外気の冷却効率が向上させられ、より一層温度を低くして冷却できるようになり、断熱性能が向上させられる。
【００１１】
一方、冬場においては、例えば、寒冷地においては外気が例えばマイナス１０℃以下にもなるような場合、この外気は吸気管１０の吸気口１１から吸引されて埋設管１２に入る。この埋設管１２においては、吸気口１１からの外気と地中の熱との熱伝達が行なわれる。即ち、地中の温度は外気より高いので、この外気温が加暖される。そして、外気温より高くなった状態で、通気層６に流入する。そのため、外気温によって表面壁５が冷やされても、通気層６を流れる空気は外気温より高いので、内外の温度差が小さくなり、そのため、内部の温度が外部に逃げにくくなり熱損失が低減される。従って、室内の暖房効率が向上させられる。この場合、通気層６を流れる空気は地中で加暖されるので、従来のように単に床下で加暖する場合に比較して、温度がより高くなり、そのため、外気の加暖効率が向上させられ、より一層温度を高くして加暖できるようになり、断熱性能が向上させられる。
【００１２】
また、外気は送風ファン２５によって、外気を吸入するので、外気は積極的に地中に導かれて強制的に冷却あるいは加暖させられ、そのため、確実に通気層６に外気との温度差のある空気を流すことができ、より一層安定した断熱が図られる。
更に、埋設管１２を床下の地中に埋設しているので、建物の下の地中で冷却または加暖することになり、建物の外部の日の当たる地中に比較して、建物がある分、地中の温度も低くあるいは高くなっており、そのため、冷却，加暖効率が向上させられる。
更にまた、送風管２０を連通路７に連通させて床下に配設しているので、送風管２０において、床下も冷却あるいは加暖が行なわれ、この点でも、冷却，加暖効率が向上させられる。
しかも、送風管２０は環状の外側送風管２１と環状の内側送風管２３とを備えていることから、送風管２０が２系統の環状によって床下が冷却あるいは加暖されることになり、より一層、建物の冷却，加暖効率が向上させられる。
【００１３】
尚、上記の実施の形態において、吸気管１０，埋設管１２及び送風管２０の数や形状は上述したものに限定されるものではなく、適宜に定めて良い。
【００１４】
【発明の効果】
以上説明したように、本発明の木造住宅の通気構造によれば、外気が埋設管を通って通気層に流入するので、従来の床下を通して流入させる場合に比較して、夏場においては、温度がより低くなり、そのため、外気の冷却効率が向上させられ、より一層温度を低くして冷却できるようになり、断熱性能が向上させられる。また、冬場においては、温度がより高くなり、そのため、外気の加暖効率が向上させられ、より一層温度を高くして加暖できるようになり、断熱性能が向上させられる。即ち、地中の未利用エネルギーを積極的に導入して一年中安定した断熱を図ることができるという効果がある。
また、送風ファンを備えた場合には、外気を積極的に地中に導いて強制的に冷却あるいは加暖するので、確実に通気層に外気との温度差のある空気を流すことができ、より一層安定した断熱を図ることができる。
【００１５】
更に、埋設管を床下の地中に埋設し、送風管を連通路に連通させて床下に配設した場合には、建物の下の地中で冷却するので、建物の外部の日の当たる地中に比較して、建物がある分、地中の温度も低くあるいは高くなっており、そのため、冷却，加暖効率が向上させられる。更に、床下に配設された送風管において、床下の冷却あるいは加暖が行なわれるので、この点でも、建物の冷却，加暖効率が向上させられる。
更にまた、送風管を環状の外側送風管と環状の内側送風管とを備えて構成した場合には、送風管が２系統の環状によって床下の冷却あるいは加暖が行なわれるので、より一層、建物の冷却，加暖効率が向上させられる。
【図面の簡単な説明】
【図１】本発明の実施の形態に係る木造住宅の通気構造を示す断面図である。
【図２】本発明の実施の形態に係る木造住宅の通気構造の配管状態を示す平面図である。
【図３】本発明の他の実施の形態に係る木造住宅の通気構造における送風管の外側送風管を示す連通路側から見た図である。
【図４】従来の木造住宅の通気構造の一例を示す断面図である。
【符号の説明】
１  基礎
１ａ  土台
２  床
３  外壁
４  断熱壁
４Ａ  内側断熱壁
４Ｂ  外側断熱壁
５  表面壁
６  通気層
６ａ  下端開口
７  連通路
７ａ  覆体
７ｂ  支持部材
１０  吸気管
１１  吸気口
１２  埋設管
１３  入口
１４  出口
２０  送風管
２１  外側送風管
２２  接続管
２３  内側送風管
２４  連通孔
２５  送風ファン
【図１】
0004121668.tif 000002
【図２】
0004121668.tif 000003
【図３】
0004121668.tif 000004
【図４】
0004121668.tif 000005